(57)【要約】  本発明に関するヘッドマウントディスプレイデバイスは、表示装置と、二つのイヤホン本体と、各イヤホン本体が表示装置の対向の二つの端部の対応の端部に接続されるように構成される接続アームとを備え、ディスプレイデバイスは、それに収容される表示モジュールと、第一接続口とを含み、各イヤホン本体は、それに収容される発音モジュールと、第二接続口とを含み、接続アームは、第一接続口に接続される第一接続端部と、第二接続口に接続される第二接続端部と、第一接続端部および第二接続端部に貫通される内部チャンバとを含む。本発明によるヘッドマウントディスプレイデバイスは接続アームが内部配線を実現するために完全に利用し、同時にフレキシブル回路基板を採用するため、接続アームの軽くて薄い設計を実現でき、ヘッドマウントディスプレイデバイスの携帯性及び小型化を効果的に向上できる。【選択図】図１
2018530230.tif 000002
【特許請求の範囲】
【請求項１】
ヘッドマウントディスプレイデバイスであって、
ディスプレイデバイスと、二つのイヤホン本体と、各イヤホン本体がディスプレイデバイスの対向する二つの端部の対応する端部に接続されるように構成される接続アームと、を備え、
前記ディスプレイデバイスは、それに収容される表示モジュールと、第一接続口と、を含み、
各イヤホン本体は、それに収容される発音モジュールと、第二接続口と、を含み、
前記接続アームは、前記第一接続口に接続される第一接続端部と、前記第二接続口に接続される第二接続端部と、第一接続端部および第二接続端部に貫通される内部チャンバと、を含み
各イヤホン本体は、フレキシブル回路基板を介して、ディスプレイデバイスに電気的に接続され、前記フレキシブル回路基板の一端は、ディスプレイデバイスに接続され、前記フレキシブル回路基板の他端は、対応する第一接続口及び第一接続端部を介して前記内部チャンバに入り、前記第二接続口を介して対応するイヤホン本体に接続される、
ことを特徴とするヘッドマウントディスプレイデバイス。
【請求項２】
前記接続アームは、伸縮構造を備え、または、前記接続アームと前記イヤホン本体若しくは前記接続アームと前記ディスプレイデバイスは伸縮構造を構成し、
前記伸縮構造は、前記イヤホン本体と前記ディスプレイデバイスの間の距離を変更するように構成されることを特徴とする請求項１に記載のヘッドマウントディスプレイデバイス。
【請求項３】
処理装置をさらに備え、
前記処理装置は、データ線によって前記ディスプレイデバイスおよびイヤホンデバイスに電力を供給し、及び／又は、データ線によって前記ディスプレイデバイス及びイヤホンデバイスとの通信を実現するように構成され、
すくなくとも一つのイヤホン本体は、第三接続口を備え、
前記データ線は、第三接続口を介して、対応するイヤホン本体に接続されることを特徴とする請求項１または２に記載のヘッドマウントディスプレイデバイス。
【請求項４】
前記第三接続口を備えるイヤホン本体は、信号変換モジュールを備え、前記データ線は、第三接続口を介して、前記信号変換モジュールに接続され、前記イヤホン本体におけるフレキシブル回路基板の他端は、前記信号変換モジュールにさらに接続されることを特徴とする請求項３に記載のヘッドマウントディスプレイデバイス。
【請求項５】
前記表示モジュールは、音声及びビデオ処理ユニットと、前記音声及びビデオ処理ユニットの出力端に接続される表示ユニットと、を備え、
対応するイヤホン本体に接続されたフレキシブルプリント回路の一端は、音声及びビデオ処理ユニットに接続されることを特徴とする請求項１または２に記載のヘッドマウントディスプレイデバイス。
【請求項６】
前記イヤホン本体は、ノイズリダクションユニットをさらに備え、前記発音モジュールは前記ノイズリダクションユニットの出力端に接続され、前記ノイズリダクションユニットは、前記イヤホン本体に対応するフレキシブル回路基板の他端に接続されることを特徴とする請求項１または２に記載のヘッドマウントディスプレイデバイス。
【請求項７】
前記フレキシブル回路基板は、三層構造を備え、データ配線は、中間層に設けられ、前記中間層の上表面を覆う上部層および前記中間層の下表面を覆う底部層は、接地シールド層であることを特徴とする請求項１または２に記載のヘッドマウントディスプレイデバイス。
【請求項８】
前記フレキシブル回路基板の電源配線は、前記上部層または底部層に設けられることを特徴とする請求項７に記載のヘッドマウントディスプレイデバイス。
【請求項９】
少なくとも一つの前記イヤホン本体は、タッチユニットをさらに備え、前記イヤホン本体に対応するフレキシブル回路基板の他端は、前記タッチユニットにさらに接続されることを特徴とする請求項１または２に記載のヘッドマウントディスプレイデバイス。
【請求項１０】
前記接続アームは、二つの接続体を備え、各接続体の対向する二つの端部は、前記第一接続端部および前記第二接続端部をそれぞれに有し、
前記ディスプレイデバイスは、二つの第二接続口を備え、前記二つの第二接続口のそれぞれは、ディスプレイデバイスの対向する二つの端部に設けられることを特徴とする請求項１または２に記載のヘッドマウントディスプレイデバイス。
【請求項１１】
前記接続アームは円弧状であり、前記第二接続端部は前記円弧状の両端に設けられ、前記第一接続端部は、前記円弧状の中間部分に設けられ、前記円弧状の両端にそれぞれ設けられる第二接続端部と第一接続端部とがそれぞれに構成された二つの内部チャンバが連通し、
前記第一接続口は前記ディスプレイデバイスの前記第一接続端部に対応する位置に設けられることを特徴とする請求項１または２に記載のヘッドマウントディスプレイデバイス。
【請求項１２】
ヘッドマウントフレームをさらに備え、前記ヘッドマウントフレームの対向する両端のそれぞれは、対応の前記イヤホン本体に接続されることを特徴とする請求項１または２に記載のヘッドマウントディスプレイデバイス。
【請求項１３】
前記二つのイヤホン本体のそれぞれは、第四接続口を備え、前記ヘッドマウントフレームは、前記ヘッドマウントフレームの対向する両端に貫通されるヘッドマウント内部チャンバと、ヘッドマウント内部チャンバに収容される音声出力線とを備え、前記音声出力線は二つのイヤホン本体の第四接続口を介して、音声出力接続を実現することを特徴とする請求項１２に記載のヘッドマウントディスプレイデバイス。
【請求項１４】
前記イヤホン本体のそれぞれは、互いに回転可能な第一回転部材と、第二回転部材とを備え、前記第四接続口のそれぞれは前記第一回転部材に設けられ、前記第二接続口のそれぞれは対応の第二回転部材に設けられることを特徴とする請求項１３に記載のヘッドマウントディスプレイデバイス。
【発明の詳細な説明】
【技術分野】
【０００１】
本出願はウェアラブルディスプレイデバイスに関し、特にヘッドマウントディスプレイデバイスに関する。
【背景技術】
【０００２】
ヘッドマウントディスプレイデバイス（ＨＭＤ,Ｈｅａｄ  Ｍｏｕｎｔｅｄ  Ｄｉｓｐｌａｙ）は、眼前表示技術を採用し、1組の光学システム（主に精密光学レンズ）によって、マイクロディスプレイスクリーンにおける映像を拡大し、目の網膜に映像を投射するため、観察者の眼中で大きいスクリーン映像を示す。ヘッドマウントディスプレイデバイスの外形は、基本的にメガネに類似するため、ビデオ眼鏡（ｖｉｄｅｏ  ｇｌａｓｓｅｓ）と心象的に呼ばれている。それにより、ポータブルのホームシアターの製品概念を提唱する。
【０００３】
既存の製品において、ワイヤを介して耳栓式イヤホンをヘッドマウントディスプレイデバイスに差し込むことによって、ヘッドマウントディスプレイデバイスの携帯性を向上させるため、「ホームシアター」の携行およびポータブルの概念を製品化とする。しかし、耳栓式イヤホンのオーディオ効果は普通である。同時に、耳栓式イヤホンのワイヤが外部に露出しているため、以下のような問題が生じる。
【０００４】
１、イヤホンのワイヤの冗長性のためにワイヤが容易に損傷する可能性がある。
【０００５】
２、イヤホンのワイヤが外部に露出することにより製品の完全性および外観に影響を与える可能性がある。
【０００６】
そのため、イヤホンをディスプレイデバイスに効果的に組み合わせることができるヘッドマウントディスプレイデバイスを提供することにより、イヤホンのワイヤの露出によって引き起こされる問題を解決し、また、製品の完全性を向上する必要がある。
【発明の概要】
【０００７】
それにより、本発明は、前記技術問題を効果的に解決できるようにヘッドマウントディスプレイデバイスを提供することにある。
【０００８】
本発明の実施形態によるヘッドマウントディスプレイデバイスは、ディスプレイデバイスと、二つのイヤホン本体と、各イヤホン本体がディスプレイデバイスの対向する二つの端部の対応の端部に接続されるように構成される接続アームと、を備える。ディスプレイデバイスは、それに収容される表示モジュールと、第一接続口と、を含む。各イヤホン本体は、それに収容される発音モジュールと、第二接続口と、を含む。接続アームは、前記第一接続口に接続される第一接続端部と、前記第二接続口に接続される第二接続端部と、第一接続端部および第二接続端部に貫通される内部チャンバと、を含む。各イヤホン本体は、フレキシブル回路基板を介して、ディスプレイデバイスに電気的に接続される。前記フレキシブル回路基板の一端は、ディスプレイデバイスに接続され、前記フレキシブル回路基板の他端は、対応の第一接続口及び第一接続端部を介して前記内部チャンバに入り、第二接続口を介して対応のイヤホン本体に接続される。
【０００９】
本発明の実施形態によるヘッドマウントディスプレイデバイスは、イヤホン本体はディスプレイデバイスの相対する二つの端部を接続するように構成される接続アームを備え、前記接続アームは、内部チャンバを有し、各イヤホン本体は、内部チャンバにおけるフレキシブル回路基板を介して表示モジュールと電気的に接続される。それにより、接続アームを十分に利用することによって、内部配線を実現することができる。同時に、フレキシブル回路基板を採用するため、接続アームの軽くて薄い設計を実現することができる。また、ヘッドマウントディスプレイデバイスの携帯性及び小型化を効果的に向上することができる。
【００１０】
以下、添付の図面は具体的な実施形態と共に、本発明の各実施形態を詳しく説明するためのものである。添付図面に示される各要素は、実際のサイズ及び縮尺比を表するものではないと理解されるべきである。概略図は説明を明瞭にするために示されるのであって、本発明を制限するものと理解されてはならない。
【図面の簡単な説明】
【００１１】
【図１】図１は、本発明の第一実施形態によるヘッドマウントディスプレイデバイスの構造の概略図である。
【図２】図２は、本発明の第二実施形態によるヘッドマウントディスプレイデバイスの構造の概略図である。
【図３】図３は、本発明の第一実施形態によるヘッドマウントディスプレイデバイスの右側面の概略図である。
【図４】図４は、本発明の実施形態によるヘッドマウントディスプレイデバイスのタッチユニットの構造の概略図である。
【図５】図５は、本発明のさらなる実施形態によるヘッドマウントディスプレイデバイスの概略図である。
【発明を実施するための形態】
【００１２】
本発明の目的、技術手段及び利点をより明瞭にするために、以下に、実施形態及び図面を参照しながら本発明をより詳しく説明する。ここで記載される実施形態は、本発明を説明するためだけのものであって、本発明を制限するものではないと理解されるべきである。
【００１３】
本発明の説明において、「第一」と「第二」は、ここでは記述目的で使用されており、相対的な重要性を指し又は暗示しまたは示される技術的特徴の数を暗示すると理解されるべきではない。このため、「第一」、「第二」と限定されている特徴は、一つまたはさらに多くの当該特徴を有することを明示または暗示していることになる。本発明の説明において、別途の明確的かつ具体的な限定がない限り、「複数」は二つまたはそれ以上を意味する。
【００１４】
本発明の説明において、明確な規定と限定がない限り、「装着」、「互いに接続」、「接続」の意味は広く理解されるべきである。例えば、固定的な接続であってもよく、取り外し可能な接続であってもよく、または一体型接続であってもよく、機械的な接続であってもよく、電気的な接続または互いに通信可能であってもよく、直接的に接続されてもよく、または、中間媒体を介して間接的に接続されてもよく、二つの素子の内部が連通されてもよく、二つの素子の互いに作用関係であってもよい。当業者にとって、具体的な状況に応じて上記用語の本発明における具体的な意味を理解することができる。
【００１５】
以下の説明は、本発明の異なる構造を実現するための複数の異なる実施形態または実施形態を提供する。本発明を説明しやすいために、以下の説明は特定の例の素子及び設定に説明する。言うまでもなく、それらは例示だけであり、本発明を制限するものではない。また、本発明は、異なる例示において、参照番号及び／又は参照文字を繰り替えしてもよく、これらの繰り替えは簡略化および明瞭を意図したものであり、それらは説明した様々な実施形態及び／又は設定の間の関係を指すものではない。さらに、本発明は様々な特定の技術及び材料の例を提供するが、当業者は他の技術の応用及び／又は他の材料の使用を意識することができる。
【００１６】
図１に示すように、本発明の第一実施形態によるヘッドマウントディスプレイデバイス１は、出力して表示するためのディスプレイデバイス１０と、二つのイヤホン本体２０と、二つのイヤホン本体２０に接続されるヘッドマウントフレーム９０と、を備える。具体的に、各イヤホン本体２０は、それに収容される、例えばスピーカの発音モジュール２１を備える。発音モジュール２１は、音声を出力するように構成される。二つのイヤホン本体２０のそれぞれは、ディスプレイデバイス１０の対向する両端に位置し、接続アーム３０の両端を介して、ディスプレイデバイス１０を接続する。ユーザが該デバイスを着用する時、ディスプレイデバイス１０はユーザの両目の前に位置し、二つのイヤホン本体２０のそれぞれは、ユーザの左耳と右耳に着用される。そのため、ユーザはヘッドマウントディスプレイデバイスによる音声及びビデオの体験に没頭することができる。なお、ヘッドマウントディスプレイデバイスは、ヘッドマウントビデオプレーヤ装置、ヘッドマウントゲーム装置、ヘッドマウントナビゲーション装置または医療用装置などを備えるがこれに限定されていない。
【００１７】
具体的に、ディスプレイデバイス１０は、それに収容される表示モジュール１１を備える。表示モジュール１１は、表示源を提供するように構成される表示ユニット１１１を備える。眼前表示原理によって、一般的に、表示ユニット１１１は、マイクロディスプレイを採用する。良い表示効果を示すように、光学モジュール１１７によって、表示源により形成された拡大虚像をユーザの眼に投射しなければならない。具体的に、表示ユニット１１１は、二つのマイクロディスプレイ及び二つの光学モジュール１１７を備えることができる。それにより、二つの光学モジュール１１７は、それぞれに対応するマイクロディスプレイによる表示源光線を、対応のウィンドウを介してユーザの両目に投射するため、ユーザは拡大虚像を見ることができる。眼前表示原理は本分野の従来技術に属するため、詳しい説明がここで省略される。なお、表示モジュール１１は、一つのマイクロディスプレイのみを備えることもでき、それぞれの二つの光学モジュールを介して、二つの出力経路を形成する。マイクロディスプレイは、ＯＬＥＤ（Ｏｒｇａｎｉｃ  Ｌｉｇｈｔ−Ｅｍｉｔｔｉｎｇ  Ｄｉｏｄｅ，有機発光ダイオード）ディスプレイであってもよく、ＬＣＤ（Ｌｉｑｕｉｄ  Ｃｒｙｓｔａｌ  Ｄｉｓｐｌａｙ，液晶ディスプレイ）ディスプレイであってもよい。本発明は、表示ユニット１１１のタイプについて限定されない。
【００１８】
表示モジュール１１は、音声及びビデオ処理ユニット１１３をさらに備える。表示ユニット１１１は、音声及びビデオ処理ユニット１１３の出力端に接続される。具体的に、音声及びビデオ処理ユニット１１３は、音声及びビデオ信号の処理機能を有する回路基板であってもよく、マルチメディア信号を、表示ユニット１１１によって表示および再生することができるビデオ信号に変換するようにしてもよく、それにより、表示ユニット１１１は表示源を出力して表示することができる。
【００１９】
音声及びビデオ処理ユニット１１３は、マルチメディア信号を、発音モジュール２１によって再生することができる音声信号に変換するようにさらに構成される。このため、ディスプレイデバイス１０は第一接続口１２を設け、イヤホン本体２０は第二接続口２２を設ける。第一接続口と第二接続口は、表示モジュール１１とイヤホン本体２０を有線（ワイヤ）接続することを実現する。具体的に、第一接続口１２はディスプレイデバイス１０における内部配線の配線取出口を提供する。引き出された配線は、接続アーム３０を介して、イヤホン本体２０に埋め込むことができる。具体的に、接続アーム３０は、第一接続口１２と接続される第一接続端部３１と、第二接続口２２と接続される第二接続端部３２と、第一接続端部３１及び第二接続端部３２に貫通される内部チャンバ３３と、を備える。そのため、接続アーム３０は、各イヤホン本体２０がディスプレイデバイス１０の対向する二つの端部の対応する一端に接続される時、内部チャンバ３３を介して配線することができる。そのように、製品における電気的に接続される配線を隠して設けることを実現する。第一表示端部３１と第一接続口１２の間および第二表示端部３２と第二接続口２２の間は、一体化の固定接続、またはラッチング接続、位置限定接続などであってもよい。接続アーム３０は第一表示端部３１及び第二表示端部３２に貫通される内部チャンバ３３を備えるため、第一表示端部３１及び第二表示端部３２は、内部チャンバ３３を貫通できる開口であってもよく、それぞれは、第一接続口１２及び第二接続口２２と連通される。
【００２０】
好ましくは、各発音モジュール２１のそれぞれは、フレキシブル回路基板（ＦＰＣ，Ｆｌｅｘｉｂｌｅ  Ｐｒｉｎｔｅｄ  Ｃｉｒｃｕｉｔ）４０を介して、表示モジュール１１と電気的に接続される。フレキシブル回路基板４０の一端は表示モジュール１１に接続され、フレキシブル回路基板４０の他端は、対応の第一接続口１２及び第一接続端部３１を介して内部チャンバ３３に入り、第二接続口２２を介して対応のイヤホン本体２０に接続される。それにより、接続アーム３０は軽くて薄い設計を実現することができ、製品の携帯性及び小型化を効果的に向上することができる。
【００２１】
第一実施形態において、接続アーム３０は円弧状であり、「Ｃ」に類似する形状である。第二接続端部３２は該円弧状の両端に設けられ、すなわち、「Ｃ」の両端の開口に設けられる。第一接続端部３１は該円弧状の中間部分に設けられる。円弧状の両端にそれぞれに設けられる第二接続端部３２のそれぞれと第一接続端部３１との間に形成された二つの内部チャンバ３３は互いに連通する。すなわち、円弧状の接続アーム３０は、接続アーム３０の二つの端部に貫通される内部チャンバ３３を有する。それに応じて、第一接続口１２は、ディスプレイデバイス１０の第一接続端部３１に対応する位置に設けられる。該実施形態において、弧状の接続アーム３０は、ディスプレイデバイス１０の表示側１０Ａに対向する面１０Ｂを覆うことができ、第一接続口は、当該対向する面１０Ｂの中間部分に設けられる。該実施形態において、二つのフレキシブル回路基板４０を備えることができる。各フレキシブル回路基板４０の一端は、音声及びビデオ処理ユニット１１３と接続され、各フレキシブル回路基板４０の他端は、第一接続端口１２を介して接続アーム３０の第一接続端部３１に伸び、対応するイヤホン本体２０に向かう方向で内部チャンバ３３及び第二接続端部３２を介して第二接続端口２２に伸び、イヤホン本体２０の内に入る。他の実施形態において、フレキシブル回路基板４０を採用して、表示モジュール１１とその両端におけるイヤホン本体２０との電気的接続を実現することができる。例えば、フレキシブル回路基板４０の一端は、音声及びビデオ処理ユニット１１３と接続され、第一接続口１２から伸びるように構成される部分は、分離するように設けられ、すなわち、「人」字形に類似するように設けられる。そのため、フレキシブル回路基板４０の他端は、分離可能な両部分が形成される、その両部分のそれぞれは、内部チャンバ３３を介して、対応するイヤホン本体２０の内に接続される。該実施形態において、接続アーム４０は弾性材料を採用する時、中間部分のみがディスプレイデバイス１０に接続されるので、接続アーム４０の中間部分以外はディスプレイデバイス１０と分離することができる。この構造は、接続アーム３０はディスプレイデバイス１０を覆う接続アーム３０の一部がディスプレイデバイス１０に完全に固定される構造と比較して、二つのイヤホン本体２０に互いに分離する作用力を加えることによる引き起こすクラッピング力を効果的に低減することができる。すなわち、頭の大きいユーザにとって、より快適な着用体験を提供する。同時に、二つのイヤホン本体２０に互いに分離する作用力を加えることによりデバイスが損傷する可能性を、効果的に低減することができる。
【００２２】
なお、音声及びビデオ処理ユニット１１３と接続された一方のイヤホン本体２０のＦＰＣが信号出力配線として使われる時、音声及びビデオ処理ユニット１１３と接続された他方のイヤホン本体２０のＦＰＣは音声出力配線として使われる。本発明を説明し、かつ区別しやすくするために（例示と区別を容易にするために）、図５に示すように、前記一方のイヤホン本体２０はＡであり、他方のイヤホン本体２０はＢであると仮定する。この時、音声出力配線４１を音声及びビデオ処理ユニット１１３に接続するよう設定することができ、音声出力配線４１は、第一接続口１２を介して内部チャンバ３３に伸び、該イヤホン本体Ａに対応する第二接続端部３２を介して該イヤホン本体Ａの第二接続口２２に伸び、該イヤホン本体Ａの発音モジュール２１に接続される。
【００２３】
該実施形態において、ヘッドマウントディスプレイデバイスは、イヤホン本体２０とディスプレイデバイス１０の間の距離を変更するように構成される伸縮構造７０をさらに備えることができる。伸縮構造７０は、伸縮アーム７１と、摺動を制限する摺動スロット７２と、を備えることができる。具体的に、接続アーム３０は、伸縮構造７０を備えることができる。接続アーム３０は、内部チャンバ３３を有する接続アーム７１の第一アーム３０Ａと、内部チャンバ３３に設けられる摺動スロット７２の第二アーム３０Ｂと、を備える。第一アーム３０Ａ及び第二アーム３０Ｂが、伸縮構造７０を介して接続する時、連通する内部チャンバ３３は、依然として存在する。具体的に、接続アーム７１の一端は、摺動スロット７２の制限構造に接続される摺動制限部を有する場合、第一アーム３０Ａの接続アーム７１が設けられる一端と対向する他端を第一接続端３１または第二接続端３２のいずれか一方に設定し、第二アーム３０Ｂの摺動スロット７２が設けられる一端と対向する他端を第一接続端３１または第二接続端３２のいずれか他方に設定する。それにより、伸縮アーム７１は摺動スロット７２に制限され摺動することができ、ディスプレイデバイス１０とイヤホン本体２０の間の距離を調整できることを提供し、異なる頭の形状を持つユーザに個性的な調整方法を提供するため、ユーザの着用快適性を向上する。しかし、本発明の伸縮構造７０は、これに限定されず、当業者は、従来の伸縮構造によって、変化を柔軟に実行することができる。すなわち、伸縮構造７０は、内部チャンバ３３の構造を有し、該内部チャンバ３３は、イヤホン本体２０の第二接続口２２及びディスプレイデバイス１０の第一接続口１２を連通してもよい。
【００２４】
他の実施形態において、接続アーム３０とイヤホン本体２０、または接続アーム３０とディスプレイデバイス１０は、協同的に伸縮構造７０を構成することができる。図３に示すように、接続アーム３０は、二つの接続体３０を備え、各接続体３０の対向する二つの端部のそれぞれは、第一接続端部３１及び第二接続端部３２を有する。それに応じて、ディスプレイデバイス１０は、ディスプレイデバイス１０の対向する二つの端部にそれぞれに設けられる二つの第二接続口１２を備える。該実施形態において、接続アーム３０とイヤホン本体２０、または接続アーム３０とディスプレイデバイス１０は、協同的に伸縮構造７０を構成することができる。具体的に、内部チャンバ３３を有する伸縮アーム７１または内部チャンバ３３に設けられる摺動スロットのいずれか一方は、ディスプレイデバイス１０の第一接続口１２またはイヤホン本体２０の第二接続口２２に設けられ得、内部チャンバ３３を有する伸縮アーム７１または内部チャンバ３３に設けられる摺動スロットのいずれか他方は、接続アーム３０に対応する接続端部に設けられ得る。
【００２５】
伸縮構造７０を有する前記実施形態において、フレキシブル回路基板３０の長さは一定の冗長性を持つように設定することができるため、伸縮構造７０が最長距離に引っ張られる時、すなわち、イヤホン本体２０とディスプレイデバイス１０の間の距離が最大値に達する時、フレキシブル回路基板３０は破損することはない。
【００２６】
好ましくは、図２を参照しながら、ヘッドマウントディスプレイデバイスは、ヘッドマウントフレーム９０をさらに備えることができる。ヘッドマウントフレーム９０の対向する二つの端部は、対応のイヤホン本体２０にそれぞれに接続される。音声及びビデオ処理ユニット１１３と接続される一方のイヤホン本体２０のＦＰＣが信号出力配線として使われる時、音声及びビデオ処理ユニット１１３と接続される他方のＦＰＣのイヤホン本体２０は音声出力配線として使われる。本発明を説明し、かつ区別しやすくするために、（例示と区別を容易にするために）、図１、図３に示すように、前記一方のイヤホン本体２０はＡであり、他方のイヤホン本体２０はＢであると仮定する。ヘッドマウントフレーム９０は、ヘッドマウントフレーム９０の両端に貫通される内部チャンバ９１を有する構造である。それに応じて、イヤホン本体２０のそれぞれは、第四接続口２０ａを備えるため、音声出力配線４１を、第四接続口２０ａを介してイヤホン本体Ａに接続させることができる。
【００２７】
好ましくは、イヤホン本体２０は、互いに回転可能な二つの回転部材をさらに備えることができる。ヘッドマウントフレーム９０の一端及びそれに対応する接続アーム３０の第二接続端部３２のそれぞれは、イヤホン本体２０の二つの回転部材に接続される。接続アーム３０の第二接続端部３２と接続される回転部材は、第二接続口２２が設けられる。該例示において、各イヤホン本体２０は、互いに回転可能な第一回転部材２０Ａ及び第二回転部材２０Ｂを備えることができる。ヘッドマウントフレーム９０の両端のそれぞれは、対応の第一回転部材２０Ａに接続される。各第二接続口２２が対応の第二回転部材２０Ｂに設けられる。接続アーム３０の第二接続端部３２は、第二回転部材２０Ｂの第二接続口２２にそれぞれに接続される。それにより、ヘッドマウントフレーム９０及びディスプレイデバイス１０は、二つの回転部材２０Ａ、２０Ｂの相対回転によって、互いに重なり合うように折り畳むことができる。そのため、収納を容易にする。
【００２８】
前記各実施形態において、ディスプレイデバイス１０及びイヤホン本体２０は、電子素子を収容することができるように構成される一定の収容空間を有する。具体的な素子の収容位置は、必要によって、柔軟に選択することができる。以下、具体的な実施形態を参照しながら、本発明の配線原理について説明するが、本発明の範囲が限定されない。
【００２９】
ヘッドマウントディスプレイデバイス１は、ノイズリダクション機能をさらに備える。具体的に、イヤホン本体２０は、ノイズリダクションユニット２３をさらに備え、発音モジュール２１はノイズリダクションユニット２３の出力端と接続され、ノイズリダクションユニット２３を介して、イヤホン本体２０におけるフレキシブル回路基板４０の他端と接続される。該実施形態において、一つのイヤホン本体２０のみにノイズリダクションユニット２３が設けられ得る。具体的に、該ノイズリダクションユニット２３は、音声ノイズリダクション機能を有する回路基板である。音声ノイズリダクションは、当業者に知られた従来技術であるため、詳しい説明がここで省略される。
【００３０】
該実施形態において、音声及びビデオ処理ユニット１１３と接続される一方のイヤホン本体２０のＦＰＣが信号出力配線として使われる時、音声及びビデオ処理ユニット１１３と接続される他方のイヤホン本体２０のＦＰＣは音声出力配線として使われる。本発明を説明し、かつ区別しやすくするために（例示と区別を容易にするために）、前記一方のイヤホン本体２０はＡであり、他方のイヤホン本体２０はＢであると仮定する。ノイズリダクションユニット２３がイヤホン本体Ｂに設けられる場合、音声出力配線４１を設けることができる。該音声出力配線４１の一端は、ノイズリダクションユニット２３と接続され、該音声出力配線４１の他端は、イヤホン本体Ｂの第四接続口２０ａを介してヘッドマウントフレーム９０の両端を通って延びる内部チャンバ９１に貫通され、イヤホン本体Ａの第四接続口２０ａを介して対応の発音モジュール２１と接続される。
【００３１】
好ましくは、イヤホン本体２０は、タッチ機能をさらに備えることができる。具体的に、図４に示すように、イヤホン本体２０は、タッチユニット２４をさらに備える。タッチユニット２４は、タッチユニット２４を有しないイヤホン本体２０におけるフレキシブル回路基板４０の他端と接続される。フレキシブル回路基板４０の他端はイヤホン本体２０における発音モジュール２１と接続する必要があるので、前記の「人」字形のフレキシブル回路基板４０を採用することができる。フレキシブル回路基板４０の他端の分離部は、イヤホン本体２０における発音モジュール２１及びタッチユニット２４にそれぞれに接続され得る。タッチユニット２４はイヤホン本体２０の外側に設けられ、すなわち、ユーザの耳を塞いでいる側とは反対側に設けられ、それにより、ユーザはイヤホン本体２０において直接的なタッチ操作を提供する。
【００３２】
他方のイヤホン本体２０において、電源５０および処理ユニット６０を設けることができる。イヤホン本体２０及び表示装置１０の収容空間は、素子の配置を実現するために完全に利用することができる。同時に、製品内の配線は、内部チャンバ３３を有する接続アーム３０によって、実現されることができる。
【００３３】
好ましい実施形態として、ヘッドマウントディスプレイデバイスは、処理ユニット８０をさらに備える。電源５０および処理ユニット６０は、データ線８１を介してディスプレイデバイス１０およびイヤホンデバイス２０に電力を供給し、データ線８１を介してディスプレイデバイス１０およびイヤホンデバイス２０との通信を実現するよう、独立した装置として構成され得る。処理ユニット６０は、ヘッドマウントディスプレイデバイスの処理センタであってもよい。それにより、ヘッドマウント部の重さを効果的に減らし、ユーザの着用体験を向上することができる。該実施形態において、すくなくとも１つのイヤホン本体２０は、第三接続口２８を備える。データ線８１は、第三接続口２８を介して、対応のイヤホン本体２０内に接続される。具体的に、イヤホン本体２０は、フレキシブル回路基板４０とデータ線８１の間の信号変換を実現し、信号伝送を実現するように構成される信号変換モジュール２９を備える。具体的に、データ線８１は、第三接続口２８を介して、信号変換モジュール２９に接続される。イヤホン本体２０におけるフレキシブル回路基板４０の他端は、信号変換モジュール２９にさらに接続され、具体的に、前記の「人」字形のフレキシブル回路基板４０を採用することができる。フレキシブル回路基板４０の他端の分離部は、イヤホン本体２０における発音モジュール２１及び信号変換モジュール２９にそれぞれに接続され得る。
【００３４】
具体的に、第三接続口２８は、データ線８１の接口に設定することができる。他の実施形態において、処理装置８０は、電源５０のみを備えてもよく、又は処理ユニット６０のみを備えてもよく、又は、無線通信ユニットなどをさらに備えてもよい。
【００３５】
本発明の好ましい実施形態において、フレキシブル回路基板４０は三層構造を含んで設けられる。データ配線は、中間層に設けられる。中間層の上表面を覆う上部層および中間層の下表面を覆う底部層は、接地シールド層である。具体的に、上部層および底部層は、ホールの形態を介して中間層の接地線に接続され得る。この実施形態において、電磁放射を効果的に低減することができる。
【００３６】
好ましい実施形態において、フレキシブル回路基板の電源配線は、第一層または第二層に設けられ得る。該実施形態において、処理装置がディスプレイデバイス１０およびイヤホンデバイス２０に電力を供給する時、電圧差は相対的に小さくなるため、信号伝送はより安定する。
【００３７】
以上は、本発明の好ましい実施形態に過ぎないが、本発明の保護範囲はこれに限定されない。本出願の精神および原理内の如何なる変更、置換および改良などは、本出願の保護範囲内に含まれるべきである。
【図１】
2018530230.tif 000003
【図２】
2018530230.tif 000004
【図３】
2018530230.tif 000005
【図４】
2018530230.tif 000006
【図５】
2018530230.tif 000007
【手続補正書】
【提出日】平成30年3月9日(2018.3.9)
【手続補正１】
【補正対象書類名】明細書
【補正対象項目名】００１９
【補正方法】変更
【補正の内容】
【００１９】
音声及びビデオ処理ユニット１１３は、マルチメディア信号を、発音モジュール２１によって再生することができる音声信号に変換するようにさらに構成される。このため、ディスプレイデバイス１０は第一接続口１２を設け、イヤホン本体２０は第二接続口２２を設ける。第一接続口と第二接続口は、表示モジュール１１とイヤホン本体２０を有線（ワイヤ）接続することを実現する。具体的に、第一接続口１２はディスプレイデバイス１０における内部配線の配線取出口を提供する。引き出された配線は、接続アーム３０を介して、イヤホン本体２０に埋め込むことができる。具体的に、接続アーム３０は、第一接続口１２と接続される第一接続端部３１と、第二接続口２２と接続される第二接続端部３２と、第一接続端部３１及び第二接続端部３２に貫通される内部チャンバ３３と、を備える。そのため、接続アーム３０は、各イヤホン本体２０がディスプレイデバイス１０の対向する二つの端部の対応する一端に接続される時、内部チャンバ３３を介して配線することができる。そのように、製品における電気的に接続される配線を隠して設けることを実現する。第一表接続部３１と第一接続口１２の間および第二接続端部３２と第二接続口２２の間は、一体化の固定接続、またはラッチング接続、位置限定接続などであってもよい。接続アーム３０は第一接続端部３１及び第二接続端部３２に貫通される内部チャンバ３３を備えるため、第一接続端部３１及び第二接続端部３２は、内部チャンバ３３を貫通できる開口であってもよく、それぞれは、第一接続口１２及び第二接続口２２と連通される。
【手続補正２】
【補正対象書類名】明細書
【補正対象項目名】００２３
【補正方法】変更
【補正の内容】
【００２３】
該実施形態において、図２を参照して、ヘッドマウントディスプレイデバイスは、イヤホン本体２０とディスプレイデバイス１０の間の距離を変更するように構成される伸縮構造７０をさらに備えることができる。伸縮構造７０は、伸縮アーム７１と、摺動を制限する摺動スロット７２と、を備えることができる。具体的に、接続アーム３０は、伸縮構造７０を備えることができる。接続アーム３０は、内部チャンバ３３を有する伸縮アーム７１の第一アームと、内部チャンバ３３に設けられる摺動スロット７２の第二アームと、を備える。第一アーム及び第二アームが、伸縮構造７０を介して接続する時、連通する内部チャンバ３３は、依然として存在する。具体的に、伸縮アーム７１の一端は、摺動スロット７２の制限構造に接続される摺動制限部を有する場合、第一アームの接続アーム７１が設けられる一端と対向する他端を第一接続端３１または第二接続端３２のいずれか一方に設定し、第二アームの摺動スロット７２が設けられる一端と対向する他端を第一接続端３１または第二接続端３２のいずれか他方に設定する。それにより、伸縮アーム７１は摺動スロット７２に制限され摺動することができ、ディスプレイデバイス１０とイヤホン本体２０の間の距離を調整できることを提供し、異なる頭の形状を持つユーザに個性的な調整方法を提供するため、ユーザの着用快適性を向上する。しかし、本発明の伸縮構造７０は、これに限定されず、当業者は、従来の伸縮構造によって、変化を柔軟に実行することができる。すなわち、伸縮構造７０は、内部チャンバ３３の構造を有し、該内部チャンバ３３は、イヤホン本体２０の第二接続口２２及びディスプレイデバイス１０の第一接続口１２を連通してもよい。
【手続補正３】
【補正対象書類名】明細書
【補正対象項目名】００２４
【補正方法】変更
【補正の内容】
【００２４】
他の実施形態において、接続アーム３０とイヤホン本体２０、または接続アーム３０とディスプレイデバイス１０は、協同的に伸縮構造７０を構成することができる。図３に示すように、接続アーム３０は、二つの接続体を備える。各接続体の対向する二つの端部のそれぞれは、第一接続端部３１及び第二接続端部３２を有する。それに応じて、ディスプレイデバイス１０は、ディスプレイデバイス１０の対向する二つの端部にそれぞれに設けられる二つの第二接続口１２を備える。該実施形態において、接続アーム３０とイヤホン本体２０、または接続アーム３０とディスプレイデバイス１０は、協同的に伸縮構造７０を構成することができる。具体的に、内部チャンバ３３を有する伸縮アーム７１または内部チャンバ３３に設けられる摺動スロットのいずれか一方は、ディスプレイデバイス１０の第一接続口１２またはイヤホン本体２０の第二接続口２２に設けられ得、内部チャンバ３３を有する伸縮アーム７１または内部チャンバ３３に設けられる摺動スロットのいずれか他方は、接続アーム３０に対応する接続端部に設けられ得る。
【手続補正４】
【補正対象書類名】明細書
【補正対象項目名】００２６
【補正方法】変更
【補正の内容】
【００２６】
好ましくは、図１も参照しながら、ヘッドマウントディスプレイデバイスは、ヘッドマウントフレーム９０をさらに備えることができる。ヘッドマウントフレーム９０の対向する二つの端部は、対応のイヤホン本体２０にそれぞれに接続される。音声及びビデオ処理ユニット１１３と接続される一方のイヤホン本体２０のＦＰＣが信号出力配線として使われる時、音声及びビデオ処理ユニット１１３と接続される他方のＦＰＣのイヤホン本体２０は音声出力配線として使われる。本発明を説明し、かつ区別しやすくするために、（例示と区別を容易にするために）、図１〜図３に示すように、前記一方のイヤホン本体２０はＡであり、他方のイヤホン本体２０はＢであると仮定する。ヘッドマウントフレーム９０は、ヘッドマウントフレーム９０の両端に貫通される内部チャンバ（図示せず）を有する構造である。それに応じて、イヤホン本体２０のそれぞれは、第四接続口２０ａを備えるため、音声出力配線４１を、第四接続口２０ａを介してイヤホン本体Ａに接続させることができる。
【手続補正５】
【補正対象書類名】明細書
【補正対象項目名】００３０
【補正方法】変更
【補正の内容】
【００３０】
該実施形態において、音声及びビデオ処理ユニット１１３と接続される一方のイヤホン本体２０のＦＰＣが信号出力配線として使われる時、音声及びビデオ処理ユニット１１３と接続される他方のイヤホン本体２０のＦＰＣは音声出力配線として使われる。本発明を説明し、かつ区別しやすくするために（例示と区別を容易にするために）、前記一方のイヤホン本体２０はＡであり、他方のイヤホン本体２０はＢであると仮定する。ノイズリダクションユニット２３がイヤホン本体Ｂに設けられる場合、音声出力配線４１を設けることができる。該音声出力配線４１の一端は、ノイズリダクションユニット２３と接続され、該音声出力配線４１の他端は、イヤホン本体Ｂの第四接続口２０ａを介してヘッドマウントフレーム９０の両端を通って延びる内部チャンバに貫通され、イヤホン本体Ａの第四接続口２０ａを介して対応の発音モジュール２１と接続される。
【手続補正６】
【補正対象書類名】明細書
【補正対象項目名】００３３
【補正方法】変更
【補正の内容】
【００３３】
好ましい実施形態として、ヘッドマウントディスプレイデバイスは、処理ユニット８０をさらに備える。電源５０および処理ユニット６０は、データ線８１を介してディスプレイデバイス１０およびイヤホン本体２０に電力を供給し、データ線８１を介してディスプレイデバイス１０およびイヤホン本体２０との通信を実現するよう、独立した装置として構成され得る。処理ユニット６０は、ヘッドマウントディスプレイデバイスの処理センタであってもよい。それにより、ヘッドマウント部の重さを効果的に減らし、ユーザの着用体験を向上することができる。該実施形態において、すくなくとも１つのイヤホン本体２０は、第三接続口２８を備える。データ線８１は、第三接続口２８を介して、対応のイヤホン本体２０内に接続される。具体的に、イヤホン本体２０は、フレキシブル回路基板４０とデータ線８１の間の信号変換を実現し、信号伝送を実現するように構成される信号変換モジュール２９を備える。具体的に、データ線８１は、第三接続口２８を介して、信号変換モジュール２９に接続される。イヤホン本体２０におけるフレキシブル回路基板４０の他端は、信号変換モジュール２９にさらに接続され、具体的に、前記の「人」字形のフレキシブル回路基板４０を採用することができる。フレキシブル回路基板４０の他端の分離部は、イヤホン本体２０における発音モジュール２１及びタ信号変換モジュール２９にそれぞれに接続され得る。
【手続補正７】
【補正対象書類名】特許請求の範囲
【補正対象項目名】全文
【補正方法】変更
【補正の内容】
【特許請求の範囲】
【請求項１】
ヘッドマウントディスプレイデバイスであって、
ディスプレイデバイスと、二つのイヤホン本体と、各イヤホン本体がディスプレイデバイスの対向する二つの端部の対応する端部に接続されるように構成される接続アームと、を備え、
前記ディスプレイデバイスは、それに収容される表示モジュールと、第一接続口と、を含み、
各イヤホン本体は、それに収容される発音モジュールと、第二接続口と、を含み、
前記接続アームは、前記第一接続口に接続される第一接続端部と、前記第二接続口に接続される第二接続端部と、第一接続端部および第二接続端部に貫通される内部チャンバと、を含み
各イヤホン本体は、フレキシブル回路基板を介して、ディスプレイデバイスに電気的に接続され、前記フレキシブル回路基板の一端は、ディスプレイデバイスに接続され、前記フレキシブル回路基板の他端は、対応する第一接続口及び第一接続端部を介して前記内部チャンバに入り、前記第二接続口を介して対応するイヤホン本体に接続されることを特徴とするヘッドマウントディスプレイデバイス。
【請求項２】
前記接続アームは、伸縮構造を備え、または、前記接続アームと前記イヤホン本体若しくは前記接続アームと前記ディスプレイデバイスは伸縮構造を構成し、
前記伸縮構造は、前記イヤホン本体と前記ディスプレイデバイスの間の距離を変更するように構成されることを特徴とする請求項１に記載のヘッドマウントディスプレイデバイス。
【請求項３】
処理装置をさらに備え、
前記処理装置は、データ線によって前記ディスプレイデバイスおよびイヤホン本体に電力を供給し、及び／又は、データ線によって前記ディスプレイデバイス及びイヤホン本体との通信を実現するように構成され、
すくなくとも一つのイヤホン本体は、第三接続口を備え、
前記データ線は、第三接続口を介して、対応するイヤホン本体に接続されることを特徴とする請求項１または２に記載のヘッドマウントディスプレイデバイス。
【請求項４】
前記第三接続口を備えるイヤホン本体は、信号変換モジュールを備え、前記データ線は、第三接続口を介して、前記信号変換モジュールに接続され、前記イヤホン本体におけるフレキシブル回路基板の他端は、前記信号変換モジュールにさらに接続されることを特徴とする請求項３に記載のヘッドマウントディスプレイデバイス。
【請求項５】
前記表示モジュールは、音声及びビデオ処理ユニットと、前記音声及びビデオ処理ユニットの出力端に接続される表示ユニットと、を備え、
フレキシブルプリント回路の一端は、音声及びビデオ処理ユニットに接続されることを特徴とする請求項１または２に記載のヘッドマウントディスプレイデバイス。
【請求項６】
前記イヤホン本体は、ノイズリダクションユニットをさらに備え、前記発音モジュールは前記ノイズリダクションユニットの出力端に接続され、前記ノイズリダクションユニットは、前記イヤホン本体に対応するフレキシブル回路基板の他端に接続されることを特徴とする請求項１または２に記載のヘッドマウントディスプレイデバイス。
【請求項７】
前記フレキシブル回路基板は、上部層と、中間層と、底部層と、を含み、
前記中間層はデータ配線層であり、前記上部層は、前記中間層の上表面を覆い、前記底部層は前記中間層の下表面を覆い、前記上部層及び底部層は接地シールド層であることを特徴とする請求項１または２に記載のヘッドマウントディスプレイデバイス。
【請求項８】
前記フレキシブル回路基板の電源配線は、前記上部層または底部層に設けられることを特徴とする請求項７に記載のヘッドマウントディスプレイデバイス。
【請求項９】
少なくとも一つの前記イヤホン本体は、タッチユニットをさらに備え、前記イヤホン本体に対応するフレキシブル回路基板の他端は、前記タッチユニットにさらに接続されることを特徴とする請求項１または２に記載のヘッドマウントディスプレイデバイス。
【請求項１０】
前記接続アームは、二つの接続体を備え、各接続体の対向する二つの端部は、前記第一接続端部および前記第二接続端部をそれぞれに有し、
前記ディスプレイデバイスは、二つの第二接続口を備え、前記二つの第二接続口のそれぞれは、ディスプレイデバイスの対向する二つの端部に設けられることを特徴とする請求項１または２に記載のヘッドマウントディスプレイデバイス。
【請求項１１】
前記接続アームは、二つの第二接続端部を備え、
前記接続アームは円弧状であり、前記第二接続端部は前記円弧状の両端に設けられ、前記第一接続端部は、前記円弧状の中間部分に設けられ、前記第二接続端部と前記第一接続端部とがそれぞれに構成された二つの内部チャンバが連通し、
前記第一接続口は前記ディスプレイデバイスの前記第一接続端部に対応する位置に設けられることを特徴とする請求項１または２に記載のヘッドマウントディスプレイデバイス。
【請求項１２】
ヘッドマウントフレームをさらに備え、前記ヘッドマウントフレームの対向する両端のそれぞれは、対応の前記イヤホン本体に接続されることを特徴とする請求項１または２に記載のヘッドマウントディスプレイデバイス。
【請求項１３】
前記二つのイヤホン本体のそれぞれは、第四接続口を備え、前記ヘッドマウントフレームは、前記ヘッドマウントフレームの対向する両端に貫通されるヘッドマウント内部チャンバと、ヘッドマウント内部チャンバに収容される音声出力線とを備え、前記音声出力線は二つのイヤホン本体の第四接続口を介して、音声出力接続を実現することを特徴とする請求項１２に記載のヘッドマウントディスプレイデバイス。
【請求項１４】
前記イヤホン本体のそれぞれは、互いに回転可能な第一回転部材と、第二回転部材とを備え、前記第四接続口のそれぞれは前記第一回転部材に設けられ、前記第二接続口のそれぞれは対応の第二回転部材に設けられることを特徴とする請求項１３に記載のヘッドマウントディスプレイデバイス。
【国際調査報告】
2018530230.tif 000008
2018530230.tif 000009
2018530230.tif 000010
2018530230.tif 000011
2018530230.tif 000012
2018530230.tif 000013